(57)【特許請求の範囲】
【請求項１】
被洗浄車両に対して前後方向に相対移動する洗車機本体と、ユーザが洗車条件を入力する操作部と、前記洗車機本体に配して被洗浄車両の表面に摺動する回転ブラシを有する洗浄部とを備え、前記洗浄部により被洗浄車両を洗浄する洗浄工程を有した洗車機であって、
前記洗浄部が被洗浄車両の上面を洗浄する浄水ノズルを有し、
被洗浄車両の前面、後面又は上面に対して予め設定される複数の重点領域から所望の前記重点領域を前記操作部により選択可能にし、前記操作部により選択された前記重点領域に対する前記洗浄部の洗浄力を非選択の場合よりも高くし、
前記操作部により選択された前記重点領域を前記回転ブラシと前記浄水ノズルにより洗浄し、
前記操作部により選択された前記重点領域が被洗浄車両のガラス以外の領域の場合、前記回転ブラシの回転数又は押圧力を非選択の場合よりも大きくするとともに、前記浄水ノズルの水圧を非選択の場合よりも大きくし、
前記操作部により選択された前記重点領域が被洗浄車両のガラスの領域の場合、前記回転ブラシの回転数又は押圧力を非選択の場合と同じにするとともに、前記浄水ノズルの水圧を非選択の場合よりも大きくすることを特徴とする洗車機。
【請求項２】
前記操作部により選択された前記重点領域を前記洗浄部により洗浄する際に、非選択の場合よりも前記洗車機本体の移動速度を遅くしたことを特徴とする請求項１に記載の洗車機。
【請求項３】
前記回転ブラシが被洗浄車両の側面、前面及び後面に摺動する一対のサイドブラシを有し、被洗浄車両の前面又は後面に設けられた前記重点領域が選択された際に非選択の場合よりも前記サイドブラシの往復回数を増加させることを特徴とする請求項１に記載の洗車機。
【請求項４】
少なくとも一の前記重点領域が選択された場合の前記洗浄工程の時間と全ての前記重点領域が非選択の場合の前記洗浄工程の時間とを略同じにしたことを特徴とする請求項２又は３に記載の洗車機。
【請求項５】
少なくとも一の前記重点領域が選択された場合における非選択の前記重点領域に対する洗浄時間を全ての前記重点領域が非選択の場合よりも短くしたことを特徴とする請求項４に記載の洗車機。
【請求項６】
前記洗車機本体に配して被洗浄車両に向けて送風する乾燥部と、前記乾燥部により被洗浄車両を乾燥させる乾燥工程とを備え、
少なくとも一の前記重点領域が選択された場合の前記乾燥工程の時間を全ての前記重点領域が非選択の場合の前記乾燥工程の時間よりも短くしたことを特徴とする請求項２又は３に記載の洗車機。
【請求項７】
被洗浄車両に対して前後方向に相対移動する洗車機本体と、ユーザが洗車条件を入力する操作部と、前記洗車機本体に配して被洗浄車両の表面に摺動する回転ブラシを有する洗浄部とを備え、前記洗浄部により被洗浄車両を洗浄する洗浄工程を有した洗車方法であって、
前記洗浄部が被洗浄車両の上面を洗浄する浄水ノズルを有し、
被洗浄車両の前面、後面又は上面に対して予め設定される複数の重点領域から所望の前記重点領域を前記操作部により選択可能にし、前記操作部により選択された前記重点領域に対する前記洗浄部の洗浄力を非選択の場合よりも高くし、
前記操作部により選択された前記重点領域を前記回転ブラシと前記浄水ノズルにより洗浄し、
前記操作部により選択された前記重点領域が被洗浄車両のガラス以外の領域の場合、前記回転ブラシの回転数又は押圧力を非選択の場合よりも大きくするとともに、前記浄水ノズルの水圧を非選択の場合よりも大きくし、
前記操作部により選択された前記重点領域が被洗浄車両のガラスの領域の場合、前記回転ブラシの回転数又は押圧力を非選択の場合と同じにするとともに、前記浄水ノズルの水圧を非選択の場合よりも大きくすることを特徴とする洗車方法。
【発明の詳細な説明】
【技術分野】
【０００１】
本発明は、被洗浄車両を洗車する洗車機及び洗車方法に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
洗車機本体には洗浄部及び乾燥部が設けられている。洗浄部は被洗浄車両の上面を洗浄するトップブラシと被洗浄車両の側面及び前後面を洗浄する左右一対のサイドブラシとを備えている。
【０００４】
乾燥部はサイド送風ノズル及びトップ送風ノズルを有している。サイド送風ノズルはスタンド部にそれぞれに設けられ、被洗浄車両の側面に向けて送風する。トップ送風ノズルは天井部に設けられ、被洗浄車両の上面に向けて送風する。
【０００５】
上記構成の洗車機において、ユーザが洗車条件を設定すると、洗車機本体が被洗浄車両に対して前後方向に移動し、洗浄部による被洗浄車両の洗浄が開始される。これにより、洗浄部のトップブラシによって被洗浄車両の上面が洗浄され、サイドブラシによって被洗浄車両の側面が洗浄される。
【０００６】
洗浄部による洗浄に続き、乾燥部により空気を被洗浄車両に送風して被洗浄車両を乾燥させる。
【先行技術文献】
【特許文献】
【０００７】
【特許文献１】特開２０１２−１４８６２５  号公報
【発明の概要】
【発明が解決しようとする課題】
【０００８】
被洗浄車両の表面の汚れには鳥の糞や圧着した虫など被洗浄車両の表面に固着して他の汚れに比べて取れ難いものがある。しかしながら、洗浄部は取れ難い汚れがある場合もない場合と同様の条件で被洗浄車両を洗浄する。このため、取れ難い汚れがある場合には洗い残しが発生してユーザが所望する洗浄結果が得られず、利便性が悪い問題があった。
【０００９】
本発明は、洗い残しを無くして利便性を向上できる洗車機及び洗車方法を提供することを目的とする。
【課題を解決するための手段】
【００１０】
上記目的を達成するために本発明は、被洗浄車両に対して前後方向に相対移動する洗車機本体と、ユーザが洗車条件を入力する操作部と、前記洗車機本体に配して被洗浄車両の表面に摺動する回転ブラシを有する洗浄部とを備え、前記洗浄部により被洗浄車両を洗浄する洗浄工程を有した洗車機であって、被洗浄車両の前面、後面又は上面に対して予め設定される複数の重点領域から所望の前記重点領域を前記操作部により選択可能にし、前記操作部により選択された前記重点領域に対する前記洗浄部の洗浄力を非選択の場合よりも高くしたことを特徴とする。
【００１１】
また、本発明は上記構成の洗車機において、前記操作部により選択された前記重点領域を前記洗浄部により洗浄する際に、非選択の場合よりも前記洗車機本体の移動速度を遅くしたことを特徴とする。
【００１２】
また、本発明は上記構成の洗車機において、前記洗浄部が被洗浄車両の側面、前面及び後面に摺動する一対のサイドブラシを有し、被洗浄車両の前面又は後面に設けられた前記重点領域が選択された際に非選択の場合よりも前記サイドブラシの往復回数を増加させることを特徴とする。
【００１３】
また、本発明は上記構成の洗車機において、少なくとも一の前記重点領域が選択された場合の前記洗浄工程の時間と全ての前記重点領域が非選択の場合の前記洗浄工程の時間とを略同じにしたことを特徴とする。
【００１４】
また、本発明は上記構成の洗車機において、少なくとも一の前記重点領域が選択された場合における非選択の前記重点領域に対する洗浄時間を全ての前記重点領域が非選択の場合よりも短くしたことを特徴とする。
【００１５】
また、本発明は上記構成の洗車機において、前記洗車機本体に配して被洗浄車両に向けて送風する乾燥部と、前記乾燥部により被洗浄車両を乾燥させる乾燥工程とを備え、少なくとも一の前記重点領域が選択された場合の前記乾燥工程の時間を全ての前記重点領域が非選択の場合の前記乾燥工程の時間よりも短くしたことを特徴とする。
【００１６】
また、本発明は上記構成の洗車機において前記洗浄部が被洗浄車両の表面に摺動する回転ブラシを有し、前記操作部により選択された前記重点領域を前記回転ブラシにより洗浄する際に非選択の場合よりも前記回転ブラシの回転数又は押圧力を大きくしたことを特徴とする。
【００１７】
また、本発明は上記構成の洗車機において、前記洗浄部が被洗浄車両の上面を洗浄する浄水ノズルを有し、前記操作部により選択された前記重点領域を前記浄水ノズルにより洗浄する際に非選択の場合よりも前記浄水ノズルの水圧を大きくしたことを特徴とする。
【００１８】
上記目的を達成するために本発明は、前記洗浄部が被洗浄車両の上面を洗浄する浄水ノズルを有し、前記操作部により選択された前記重点領域を前記浄水ノズルにより洗浄する際に非選択の場合よりも前記浄水ノズルの水圧を大きくしたことを特徴とする。
【発明の効果】
【００１９】
本発明によると、予め設定される複数の重点領域から所望の重点領域を操作部により選択可能にし、操作部により選択された重点領域に対する洗浄部の洗浄力を非選択の場合よりも高くした。従って、ユーザが所望する重点領域の洗浄力を向上して洗い残しを無くし、洗車機及び洗車方法の利便性を向上することができる。
【図面の簡単な説明】
【００２０】
【図１】本発明の第１実施形態の洗車機を示す側面図
【図２】本発明の第１実施形態の洗車機を示す正面図
【図３】本発明の第１実施形態の洗車機のリモートパネルの表示部を示す正面図
【発明を実施するための形態】
【００２１】
以下に図面を参照して本発明の実施形態を説明する。図１、図２は本発明の第１実施形態の洗車機ＷＡを示す側面図及び正面図である。洗車機ＷＡは洗車機本体１、レール２及びリモートパネル４０を備えている。洗車機本体１は左右の対向する２つのスタンド部９０と、スタンド部９０の上端を連結する天井部９１とを有した門型に形成される。
【００２２】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２３】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２、第３浄水ノズル１１、１３、１７、第１、第２洗剤ノズル１２、１５、撥水コートノズル１４、ワックスノズル１６がそれぞれ電磁弁（不図示）を介して導出される。
【００２４】
第１、第２浄水ノズル１１、１３は洗車機本体１の手前側及び奥側に上下方向に延びて配され、被洗浄車両ＣＡの側面に対して市水を噴射する。第３浄水ノズル１７は洗車機本体１の中央部に左右方向に延びて配され、被洗浄車両ＣＡの上面に対して市水を噴射する。
【００２５】
第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２６】
洗車機本体１の一方のスタンド部９０の前面には操作パネル７が配される。操作パネル７は後述するリモートパネル４０と同様の操作ボタン（不図示）を備えている。
【００２７】
洗車機本体１の両側のスタンド部９０の入口側には形状センサ９が設けられている。形状センサ９は光電センサや超音波センサ等から成り、洗車機本体１に進入する被洗浄車両ＣＡの外面形状を検知する。
【００２８】
洗車機本体１には被洗浄車両ＣＡ上に摺動し、回転数及び押圧力を可変にしてブラッシングするトップブラシ４及びサイドブラシ５から成る複数の回転ブラシが設けられる。なお、トップブラシ４、サイドブラシ５及び各洗浄ノズルは洗浄部を構成している。トップブラシ４は回転軸を水平方向にして天井部９１に設けられ、被洗浄車両ＣＡの上面に沿って移動して被洗浄車両ＣＡの上面を洗浄する。
【００２９】
サイドブラシ５は回転軸を上下方向にしてそれぞれのスタンド部９０に配され、被洗浄車両ＣＡの前面、後面及び側面を洗浄する。サイドブラシ５が被洗浄車両ＣＡの前面、後面を洗浄する際には洗車機本体１が停止してサイドブラシ５が左右方向に往復移動する。サイドブラシ５が被洗浄車両ＣＡの側面を洗浄する際には洗車機本体１が前後方向に移動する。
【００３０】
洗車機本体１には気流を発生して被洗浄車両ＣＡを乾燥させるブロア２０が設けられる。ブロア２０にはサイド送風ノズル２２及びトップ送風ノズル２１が接続される。サイド送風ノズル２２はスタンド部９０の後端部にそれぞれ設けられ、被洗浄車両ＣＡの側面に向けて送風する。トップ送風ノズル２１はスタンド部９０の後端部にそれぞれ設けられ、被洗浄車両ＣＡの上面に向けて送風する。従って、ブロア２０、サイド送風ノズル２２及びトップ送風ノズル２１は送風によって被洗浄車両ＣＡを乾燥させる乾燥部を構成する。
【００３１】
リモートパネル４０（操作部）は洗車機本体１の進入経路Ｓ上に配される。被洗浄車両ＣＡはリモートパネル４０の面前で停車し、ユーザは被洗浄車両ＣＡ内からリモートパネル４０の操作によって洗車条件の設定を行う。洗車条件の設定として浄水のみの洗車、ワックス掛けや撥水コート等液剤を用いた洗車等の洗車条件を設定することができる。
【００３２】
リモートパネル４０は操作画面を表示する表示部４１を有している。表示部４１は前面にタッチパネルを配した液晶パネル等により形成される。表示部４１上には重点的に洗浄を行う領域を選択する重点領域選択画面４６（図３参照）が所定の操作によって表示される。
【００３３】
図３は重点領域選択画面４６の正面図を示している。重点領域選択画面４６には被洗浄車両ＣＡの形状に対応して車両画像ＣＢ１〜ＣＢ３が表示される。車両画像ＣＢ１はセダンタイプの被洗浄車両ＣＡであり、車両画像ＣＢ２は１ＢＯＸタイプの被洗浄車両ＣＡであり、車両画像ＣＢ３はミニバンタイプの被洗浄車両ＣＡである。
【００３４】
車両画像ＣＢ１〜ＣＢ３の上方には所定のメッセージ４４、４５が表示されている。メッセージ４４には「特に汚れが気になる部分はございませんか？」と表示され、これにより、ユーザは重点領域選択画面４６が表示中であることを容易に把握できる。メッセージ４５には「指定いただきました箇所（重点領域）を入念に洗車致します。最大２個所までご指定できます」と表示され、これにより、重点領域Ｓ１〜Ｓ７の中で２個所選択可能であることを容易に把握できる。また、メッセージ４５の「最大２個所」は洗車スタッフによって変更可能であり、平日の夜など洗車機ＷＡが比較的空いている場合には最大３個所にしてもよい。
【００３５】
各車両画像ＣＢ１〜ＣＢ３上にはそれぞれ予め設定される複数の重点領域Ｓ１〜Ｓ７を示すアイコンが表示される。重点領域Ｓ１〜Ｓ７の各アイコンは例えば白色の矩形に形成され、押下によって選択状態になると変色する。本実施形態では最大２個所の重点領域Ｓ１〜Ｓ７を選択可能になっている。
【００３６】
重点領域Ｓ１は被洗浄車両ＣＡの前面ＣＡ１に設定される。重点領域Ｓ１が選択されると、前面ＣＡ１を洗浄するサイドブラシ５の往復回数が非選択時の１回から２回に増加する。
【００３７】
被洗浄車両ＣＡの上面には、ボンネットＣＡ２、フロントガラスＣＡ３、ルーフＣＡ４及びリヤガラスＣＡ５にそれぞれ重点領域Ｓ２〜Ｓ５が設定される。重点領域Ｓ２〜Ｓ５が選択されると、重点領域Ｓ２〜Ｓ５を通過する洗車機本体１の移動速度が非選択の場合よりも遅くなる。
【００３８】
被洗浄車両ＣＡの背面ＣＡ６上には重点領域Ｓ６及び重点領域Ｓ７が設定される。重点領域Ｓ７は被洗浄車両ＣＡがセダンタイプの場合に設けられ、背面ＣＡ６の上部に重点領域Ｓ６が設定されて下部に重点領域Ｓ７が設定される。重点領域Ｓ６、Ｓ７が選択されると、背面ＣＡ６を洗浄するサイドブラシ５の往復回数が非選択時の１回から２回に増加する。
【００３９】
操作ボタン４２は車両画像ＣＢ２の下方に配され、選択した重点領域Ｓ１〜Ｓ７の訂正を行う場合に用いる。操作ボタン４２を押圧することにより、選択した重点領域Ｓ１〜Ｓ７を再度押圧することにより、選択した重点領域Ｓ１〜Ｓ７を解除することができる。操作ボタン４３は操作ボタン４２の下方に配され、重点領域選択画面４６を終了し、次の洗車決定画面（不図示）に移行する際に用いる。
【００４０】
上記構成の洗車機ＷＡにおいて、ユーザが運転して被洗浄車両ＣＡをリモートパネル４０の面前で停車させる。次に、リモートパネル４０に設けられる料金投入部（不図示）に料金を投入し、被洗浄車両ＣＡの洗車条件の設定を被洗浄車両ＣＡ内から行う。
【００４１】
この時、図３に示すように重点領域選択画面４６が表示され、必要に応じて重点領域Ｓ１〜Ｓ７が選択される。例えば、ミニバンタイプのユーザが被洗浄車両ＣＡの前面ＣＡ１及びルーフＣＡ４の２個所を重点的に洗浄したい場合は、車両画像ＣＢ３の重点領域Ｓ１、Ｓ４を押圧する。以下の洗車動作は重点領域Ｓ１、Ｓ４が選択されている場合を例として説明を行う。
【００４２】
洗浄条件が設定されると、ユーザは所定の洗浄開始位置まで被洗浄車両ＣＡを移動させる。洗浄開始位置まで被洗浄車両ＣＡが移動したことを洗車機ＷＡが検知すると、洗車機本体１が被洗浄車両ＣＡの後方に向かって移動する。そして、洗浄工程が開始され、形状センサ９により検出される被洗浄車両ＣＡの形状に基づいて洗浄が行われる。
【００４３】
洗浄工程が開始されると、第１、第２、第３浄水ノズル１１、１３、１７から市水が噴射され、トップブラシ４及びサイドブラシ５により被洗浄車両ＣＡが洗浄される。サイドブラシ５が被洗浄車両ＣＡの前面ＣＡ１に到達すると、洗車機本体１の移動は一時的に停止する。そして、サイドブラシ５は左右方向に往復して被洗浄車両ＣＡの前面ＣＡ１を洗浄する。この時、重点領域Ｓ１が選択されているのでサイドブラシ５が２往復する。
【００４４】
サイドブラシ５が被洗浄車両ＣＡの前面ＣＡ１の洗浄を終えると、洗車機本体１は移動を再開する。そして、トップブラシ４による被洗浄車両ＣＡの上面の洗浄、サイドブラシ５による被洗浄車両ＣＡの側面の洗浄が行われる。この時、重点領域Ｓ４が選択されているので、ルーフＣＡ４上にトップブラシ４が配されている間の洗車機本体１の移動速度が重点領域Ｓ４を選択しなかった場合よりも遅くなる。これにより、ルーフＣＡ４に対して洗浄時間が長くなり、洗浄力を高くすることができる。
【００４５】
また、重点領域Ｓ４の洗浄時に第３浄水ノズル１７の水圧を重点領域Ｓ４が非選択の場合よりも大きくしてもよい。これにより、ルーフＣＡ４に対して洗浄力をより高くすることができる。
【００４６】
サイドブラシ５が被洗浄車両ＣＡの後面ＣＡ６に到達すると、洗車機本体１の移動は一時的に停止する。そして、サイドブラシ５は左右方向に１回往復して被洗浄車両ＣＡを洗浄して洗浄工程が終了する。
【００４７】
その後、洗車機本体１は反転して被洗浄車両ＣＡの前方に向かって移動し、トップ送風ノズル２１、サイド送風ノズル２２から送風して乾燥工程が開始される。この時、洗車機本体１の移動速度が全ての重点領域Ｓ１〜Ｓ７が非選択の場合よりも速くなっている。このため、重点領域Ｓ１、Ｓ４が選択された場合の乾燥工程の時間が全ての重点領域Ｓ１〜Ｓ７が非選択の場合よりも短くなっている。
【００４８】
その後、洗車機本体１の移動が停止して乾燥工程が終了したことをユーザは確認すると、被洗浄車両ＣＡを洗車機本体１の出口側から移動して洗車を終了する。
【００４９】
本実施形態によると、予め設定される複数の重点領域Ｓ１〜Ｓ７から所望の重点領域Ｓ１〜Ｓ７をリモートパネル４０（操作部）により選択可能にしている。そして、リモートパネル４０により選択された重点領域Ｓ１〜Ｓ７に対するトップブラシ４、サイドブラシ５の洗浄力を非選択の場合よりも高くした。従って、ユーザが所望する重点領域Ｓ１〜Ｓ７の洗浄力を向上して洗い残しを無くし、洗車機ＷＡの利便性を向上することができる。
【００５０】
また、リモートパネル４０により選択された重点領域Ｓ２〜Ｓ５（上記例では重点領域Ｓ４）をトップブラシ４により洗浄する際に、非選択の場合よりも洗車機本体１の移動速度を遅くした。これにより、選択された重点領域Ｓ２〜Ｓ５に対して時間をかけて洗浄を行い、容易に洗浄力を高くすることできる。
【００５１】
また、被洗浄車両ＣＡの前面ＣＡ１または後面ＣＡ６に設けられた重点領域Ｓ１、Ｓ６、Ｓ７（上記例では重点領域Ｓ１）が選択された際に非選択の場合よりもサイドブラシ５の往復回数を増加させる。これにより、選択された重点領域Ｓ１、Ｓ６、Ｓ７に対して容易に洗浄力を高くすることできる。尚、選択された重点領域Ｓ１、Ｓ６に対してサイドブラシ５の左右移動速度を非選択時よりも遅くしてもよい。
【００５２】
また、重点領域Ｓ１〜Ｓ７のいずれかが選択された場合の乾燥工程の時間を全ての重点領域Ｓ１〜Ｓ７が非選択の場合よりも短くした。これにより、洗浄工程の時間が増加しても、乾燥工程の時間が短縮されるため、洗車全体の時間増加を防いで洗車機ＷＡの混雑を防止できる。
【００５３】
また、リモートパネル４０により選択された重点領域Ｓ１〜Ｓ７を第３浄水ノズル１７により洗浄する際に非選択の場合よりも第３浄水ノズル１７の水圧を大きくした。これにより、選択された重点領域Ｓ１〜Ｓ７の洗浄力をより高くすることができる。
【００５４】
本実施携帯において、少なくとも一の重点領域（例えば重点領域Ｓ１）が選択された場合の洗浄工程の時間と全ての重点領域Ｓ１〜Ｓが非選択の場合の洗浄工程の時間とを略同じにしてもよい。即ち、重点領域Ｓ１が選択された場合の非選択の重点領域Ｓ２〜Ｓ７に対する洗浄時間を、全ての重点領域Ｓ１〜Ｓ７が非選択の場合の重点領域Ｓ２〜Ｓ７に対する洗浄時間よりも短くする。これにより洗浄工程の時間の増加を防止して洗車機ＷＡ利用時の混雑を防止できる。この場合、重点領域Ｓ１〜Ｓ７を選択時の乾燥工程の時間と、重点領域Ｓ１〜Ｓ７を非選択時の乾燥工程の時間とを同じにしてもよい。
【００５５】
＜第２実施形態＞
本実施形態は第１実施形態に対して重点領域Ｓ１〜Ｓ７の洗浄方法が第１実施形態と異なる。その他の部分は第１実施形態と同様である。
【００５６】
ユーザがリモートパネル４０により例えば、重点領域Ｓ１、Ｓ４が選択されると、重点領域Ｓ１、Ｓ４の洗浄時に回転ブラシの回転数又は押圧力を非選択の場合よりも大きくする。この時、重点領域Ｓ１、Ｓ４の洗浄時に第３浄水ノズル１７の水圧を非選択の場合よりも大きくしてもよい。これにより、洗浄工程の時間を増加させずに、選択された重点領域Ｓ１、Ｓ４に対して洗浄力を高くすることができる。
【００５７】
尚、フロントガラスＣＡ３及びリヤガラスＣＡ５上の重点領域Ｓ３、Ｓ５に対しては回転ブラシの回転数又は押圧力を非選択時と同じにしてもよい。これにより、フロントガラスＣＡ３、リヤガラスＣＡ５の破損を防止することができる。この時、重点領域Ｓ３、Ｓ５に対して第３浄水ノズル１７の水圧を非選択の場合よりも大きくして洗浄力を高くすることができる。
【００５８】
本実施形態よると、第１実施形態と同様に、リモートパネル４０により選択された重点領域Ｓ１〜Ｓ７に対するトップブラシ４、サイドブラシ５の洗浄力を非選択の場合よりも高くした。従って、ユーザが所望する重点領域Ｓ１〜Ｓ７の洗浄力を向上して洗い残しを無くし、洗車機ＷＡの利便性を向上することができる。
【００５９】
また、リモートパネル４０により選択された重点領域Ｓ１〜Ｓ７を洗浄する際に、非選択の場合よりも回転ブラシ（トップブラシ４、サイドブラシ５）の回転数又は押圧力を大きくした。これにより、洗浄工程の時間を増加させずに、選択された重点領域Ｓ１〜Ｓ７に対して容易に洗浄力を高くすることができる。
【００６０】
また、リモートパネル４０により選択された重点領域Ｓ１〜Ｓ７を第３浄水ノズル１７により洗浄する際に非選択の場合よりも第３浄水ノズル１７の水圧を大きくした。これにより、選択された重点領域Ｓ１〜Ｓ７の洗浄力をより高くすることができる。
【００６１】
尚、本実施形態と同様に第１実施形態において、重点領域Ｓ１〜Ｓ７の洗浄時に回転ブラシの回転数又は押圧力を非選択時よりも大きくしてもよい。
【００６２】
また、前回利用時の車両画像ＣＢ１〜ＣＢ３の種類を記憶したレシートを読みとる読取部をリモートパネル４０に備えてもよい。この時、レシートをリモートパネル４０が読み取ると、重点領域選択画面４６に前回選択された車両画像ＣＢ１〜ＣＢ３が点滅等して他の車両画像ＣＢ１〜ＣＢ３よりも目立つようにしてもよい。
【産業上の利用可能性】
【００６３】
本発明によると、被洗浄車両を洗車する洗車機及び洗車方法に利用することができる。
【符号の説明】
【００６４】
１    洗車機本体
２    レール
３    車輪
４    トップブラシ
５    サイドブラシ
７    操作パネル（操作部）
８    トップブラシ
９    形状センサ
１１    第１浄水ノズル
１３    第２浄水ノズル
１４    撥水コートノズル
１６    ワックスノズル
１７    第３浄水ノズル
２０    ブロア
２１    トップ送風ノズル
２２    サイド送風ノズル
４０    リモートパネル
４１    表示部
４２、４３    操作ボタン
４４、４５    メッセージ
４６    重点領域選択画面
９０    スタンド部
９１    天井部
ＣＡ    被洗浄車両
ＣＡ１  前面
ＣＡ２  ボンネット（上面）
ＣＡ３  フロントガラス（上面）
ＣＡ４  ルーフ（上面）
ＣＡ５  リヤガラス（上面）
ＣＡ６  後面
ＣＢ１〜ＣＢ３    車両画像
Ｓ１〜Ｓ７  重点領域
ＷＡ    洗車機
【図１】
0006380243.tif 000002
【図２】
0006380243.tif 000003
【図３】
0006380243.tif 000004